(57)【特許請求の範囲】
【請求項１】
調整槽と、複数の薬剤を貯蔵する貯蔵タンクと、各貯蔵タンクから薬剤を個別に調整槽へ送る複数の供給ポンプとから構成し、めっき槽から調整槽へ取り出しためっき液に各薬剤を供給することにより、通電量に比例して減少する成分を補給する３価クロムめっき液管理装置であって、被めっき物に流れる電流を積算して通電量を計測する電流積算手段と、単位通電量当たり必要な各薬剤の供給量を記憶する記憶手段と、計測された通電量と記憶手段の内容とから計測された通電量に対して必要な各薬剤の供給量を算出する計算手段と、通電量が設定した値に達したとき信号を出力する比較手段と、薬液を供給するための操作信号が入力されたとき信号を出力する入力手段と、比較手段あるいは入力手段の出力が与えられたとき各供給ポンプを駆動して計算手段により算出された供給量の薬剤をそれぞれ供給させる複数の供給ポンプ駆動手段とを備える制御装置を設けたことを特徴とする３価クロムめっき液管理装置。
【請求項２】
薬剤を水酸化クロム、グリシン及び水酸化アンモニウムとし、水酸化クロム供給ポンプ駆動手段を動作させ、水酸化クロム供給ポンプ駆動手段の動作完了後設定した待ち時間が経過した時点でグリシン供給ポンプ駆動手段を動作させ、グリシン供給ポンプ駆動手段の動作完了後設定した待ち時間が経過した時点で水酸化アンモニウム供給ポンプ駆動手段を動作させるシーケンス制御手段を制御装置に付加したことを特徴とする請求項１に記載の３価クロムめっき液管理装置。
【発明の詳細な説明】
【技術分野】
【０００１】
本発明は、３価クロムめっき液に複数の薬剤を供給することにより３価クロムめっき液の組成を維持管理する３価クロムめっき液管理装置に関するものである。
【背景技術】
【０００２】
クロムめっきは大気中で腐食せず光沢を失わないことから装飾用として広く使用されており、また、高い硬度と低い摩擦係数を有することから耐摩耗性を要する機械部品等に広く使用されている。このように有用なクロムめっきではあるが、従来は殆んどが有害な６価クロムを多量に含むめっき液を使用してめっきされていた。そのため、有害な６価クロムを含まないめっき液によるクロムめっきが強く望まれ、例えば特許文献１に示されるような３価クロムめっき方法が提案されている。
【０００３】
特許文献１に示される３価クロムめっき方法は、塩化クロムおよび塩化アンモニウムを含んで成るめっき液を用いて３価クロムめっきするにあたり、めっき液の一部を冷却装置に循環させ、この冷却装置において塩化アンモニウムの一部を晶析させ取除くことにより、めっき液中の塩化アンモニウム濃度を制御しながらめっきするものである。そして、実施例１では一定の通電量ごとに水酸化アンモニウムと塩化クロムをそれぞれ一定量ずつめっき液に添加すること、実施例２では一定の通電量ごとにアンモニア水、塩化クロム、グリシン及び硼酸をそれぞれ一定量ずつめっき液に添加することが示されている。
【０００４】
一定の通電量ごとに薬剤をめっき液に添加するための装置としては、例えば特許文献２に示すようなものが知られており、こうしたものを使用することが考えられる。特許文献２に示される電気鍍金用添加剤補充装置は、被めっき物に流れる電流を検出する電流検出器と該電流検出器の出力を積分して一定積分値毎にパルスを出す積分器と積分器の出力パルスを計数して一定計数毎に出力を出す計数器と該計数器の出力により作動され一定量の添加剤を移送する定量移送装置とから構成されたものである。
【０００５】
しかしながら、この特許文献２に示されるものはあらかじめ設定した一定の通電量ごとに一定量の薬剤の補給を行うものであるため、任意の時点で必要な量の薬剤の補給をすることができなかった。そのため一つの被めっき物をめっきした後に次の被めっき物をめっきする場合には、それまでに減少した成分をその時点で補給することができず、一部成分が減少したままで次の被めっき物のめっきを開始することになるという問題があった。また、複数の薬剤を補給することができないという問題があった。
【０００６】
ところで、本願発明者は特許文献１に示される塩化クロム、塩化アンモニウム、グリシン、塩化アルミニウム及び硼酸を含む３価クロムめっき液、あるいはそこから塩化アルミニウムを除いた３価クロムめっき液を使用する３価クロムめっきについて実験を重ねた。その結果、特許文献１に補給する薬剤として示されている水酸化アンモニウム及び塩化クロム、あるいはアンモニア水、塩化クロム、グリシン及び硼酸に代えて、水酸化クロム、グリシン及び水酸化アンモニウムを一定の通電量ごとに補給することにより、良好な３価クロムめっきを継続することができることを見出した。また、めっき液の好適なｐＨ値は塩化クロムの濃度により異なり、塩化クロム濃度が３００ｇ／ｌの場合０．１〜０．３、１５０ｇ／ｌの場合０．４〜０．８であるとの知見を得ている。
【０００７】
このような補給する薬剤の組み合わせは非常に良好な結果をもたらすのであるが、これらの薬剤を補給する際には水酸化クロムが溶解しにくく、特にアルカリ性である水酸化アンモニウムと同時にめっき槽に供給すると溶解しないためザラ等めっき不良を引き起こすという問題があった。
【特許文献１】特開２００２−３２２５９９号公報
【特許文献２】実公昭４６−００９２２３号公報
【発明の開示】
【発明が解決しようとする課題】
【０００８】
本発明は上記の問題点を解決し、一定の通電量に達したとき、操作信号が入力されたときのいずれのときにもそれまでの通電による成分の減少に見合う量の薬剤を供給することができ、供給する薬剤に溶解しにくい薬剤を使用することができる３価クロムめっき液管理装置を提供するためになされたものである。
【課題を解決するための手段】
【０００９】
上記の問題を解決するためになされた本発明の３価クロムめっき液管理装置は、調整槽と、複数の薬剤を貯蔵する貯蔵タンクと、各貯蔵タンクから薬剤を個別に調整槽へ送る複数の供給ポンプとから構成し、めっき槽から調整槽へ取り出しためっき液に各薬剤を供給することにより、通電量に比例して減少する成分を補給する３価クロムめっき液管理装置であって、被めっき物に流れる電流を積算して通電量を計測する電流積算手段と、単位通電量当たり必要な各薬剤の供給量を記憶する記憶手段と、計測された通電量と記憶手段の内容とから計測された通電量に対して必要な各薬剤の供給量を算出する計算手段と、通電量が設定した値に達したとき信号を出力する比較手段と、薬液を供給するための操作信号が入力されたとき信号を出力する入力手段と、比較手段あるいは入力手段の出力が与えられたとき各供給ポンプを駆動して計算手段により算出された供給量の薬剤をそれぞれ供給させる複数の供給ポンプ駆動手段とを備える制御装置を設けたことを特徴とするものである。
【００１０】
ここにおいて、薬剤を水酸化クロム、グリシン及び水酸化アンモニウムとし、水酸化クロム供給ポンプ駆動手段を動作させ、水酸化クロム供給ポンプ駆動手段の動作完了後設定した待ち時間が経過した時点でグリシン供給ポンプ駆動手段を動作させ、グリシン供給ポンプ駆動手段の動作完了後設定した待ち時間が経過した時点で水酸化アンモニウム供給ポンプ駆動手段を動作させるシーケンス制御手段を制御装置に付加することが好ましい。
【発明の効果】
【００１１】
本発明によれば、計測された通電量とあらかじめ記憶させてある単位通電量当たり必要な各薬剤の供給量とから計測された通電量に対して必要な各薬剤の供給量を算出するようにしており、通電量が設定した値に達したとき又は操作信号が入力されたときのいずれのときにも、算出された量の薬剤を供給するので、任意の時点で成分の補給ができることになる。これにより、新たな被めっき物をめっきするときに補給すれば、常に新液と同様の条件でめっきを開始することができる効果がある。また、薬剤を水酸化クロム、グリシン及び水酸化アンモニウムとして水酸化クロム、グリシン、水酸化アンモニウムの順に間に待ち時間をとりながら供給するようにした場合には、溶解しにくい水酸化クロムの溶解が終わるまで他の薬剤、特に水酸化クロムの溶解の溶解を妨げる水酸化アンモニウムが供給されることがないので水酸化クロムが完全に溶解される利点がある。
【発明を実施するための最良の形態】
【００１２】
次に、本発明を実施するための最良の形態について、図を参照しながら具体的に説明する。
図１は本発明の３価クロムめっき液管理装置の構成を示す図であって、調整槽１と水酸化クロム貯蔵タンク２、グリシン貯蔵タンク３、水酸化アンモニウム貯蔵タンク４、塩酸貯蔵タンク５及び純水貯蔵タンク６から構成したものである。調整槽１上にはｐＨ測定電極７を取り付けたｐＨ測定槽８が設けてあり、ｐＨ測定ポンプ９により調整槽１内のめっき液をｐＨ測定槽８を通して循環させるように配管してある。
【００１３】
調整槽１には攪拌機１０が設けてあり、温度センサー１１及びヒーター１２を設けて温度調整するようにしてある。水酸化クロム貯蔵タンク２には攪拌機１３が設けてあり、水酸化クロム供給ポンプ１４を設けて水酸化クロム貯蔵タンク２内の水酸化クロムを調整槽１に供給するように配管してある。攪拌機１０には回転翼式のものが使用可能であるが、攪拌機１３にはマグネットスターラーと呼ばれる磁気でタンク外から攪拌子を駆動する方式のものを使用するのが望ましい。
【００１４】
１５、１６、１７及び１８はそれぞれグリシン供給ポンプ、水酸化アンモニウム供給ポンプ、塩酸供給ポンプ及び純水供給ポンプであり、各ポンプによりグリシン貯蔵タンク３、水酸化アンモニウム貯蔵タンク４、塩酸貯蔵タンク５及び純水貯蔵タンク６からグリシン、水酸化アンモニウム、塩酸及び純水を調整槽１に供給するように配管してある。水酸化クロム、グリシン及び水酸化アンモニウムは電析あるいは分解により通電量に比例して消費される成分を補うために供給する薬剤であり、供給量を精密に制御する必要があることから水酸化クロム供給ポンプ１４、グリシン供給ポンプ１５及び水酸化アンモニウム供給ポンプ１６は一定時間あたりの送液量が一定の定量ポンプとしてある。
【００１５】
図１において、鎖線より左側は管理対象となるめっき液によりめっきが行われるめっき槽であり、調整槽１からフィルタ１９を通してめっき槽２０にめっき液を送る循環ポンプ２１が設けてある。めっき槽２０と調整槽１との間にはめっき槽２０のオーバーフロー２２から調整槽１にめっき液を流す配管が設けてある。めっき槽２０には温度センサー２３、ヒーター２４の他図示しないが陽極、攪拌機、ハンガー受け等通常のめっき槽と同様の機器、装置等が設けられる。図中２５、２６は循環ポンプ２１の前後に設けたバルブ、２７はフィルター１９の入り口側に設けた圧力計であり、メンテナンスの際に使用するものである。また、２８は調整槽１に設けた液面センサーである。
【００１６】
図２はｐＨ測定ポンプ９、水酸化クロム供給ポンプ１４、グリシン供給ポンプ１５、水酸化アンモニウム供給ポンプ１６、塩酸供給ポンプ１７、純水供給ポンプ１８等のポンプ及び攪拌機１０、１３を制御する制御装置の構成を示すブロック図である。この制御装置は論理制御部３０、操作部３１、電流積算部３２、ｐＨ計測部３３、ｐＨ測定ポンプ駆動部３４、水酸化クロム供給ポンプ駆動部３５、グリシン供給ポンプ駆動部３６、水酸化アンモニウム供給ポンプ駆動部３７、塩酸供給ポンプ駆動部３８、純水供給ポンプ駆動部３９、循環ポンプ駆動部４０、攪拌機駆動部４１及び４２から構成してある。ここで攪拌機駆動部４１及び４２はそれぞれ攪拌機１０及び１３を駆動するものである。
【００１７】
操作部３１は押しボタンスイッチ及び表示器の機能を有するもので、いわゆるタッチパネルで構成することができ、各種パラメータ、運転操作等の入力した信号を論理制御部３０に送り、論理制御部３０から送られる入力応答、運転状態等の情報を表示するものとしてある。電流積算部３２には分流器等で検出される被めっき物に流れる電流の瞬時値が入力してあり、その電流値を積算した通電量を論理制御部３０に送るようにしてある。ｐＨ計測部にはｐＨ測定電極７の信号が入力してあり、計測したｐＨ値を論理制御部３０に送るようにしてある。
【００１８】
ｐＨ測定ポンプ駆動部３４、水酸化クロム供給ポンプ駆動部３５、グリシン供給ポンプ駆動部３６、水酸化アンモニウム供給ポンプ駆動部３７、塩酸供給ポンプ駆動部３８、純水供給ポンプ駆動部３９、循環ポンプ駆動部４０、攪拌機駆動部４１、４２には論理制御部３０から信号を送るようにしてあり、論理制御部３０の信号が与えられるとそれぞれのポンプ、攪拌機に電力を供給して駆動する。その他図示していないがインターフェイスを介して温度センサー１１及びヒーター１２を論理制御部３０に接続しておけば、論理制御部３０によりヒーター１２をオン、オフして調整槽１の温度制御をすることができる。
【００１９】
以下このように構成された３価クロムめっき液管理装置の動作について説明する。まず運転に先立ち、操作部３１から各種パラメータを入力する。入力する必要のあるパラメータは通電量、水酸化クロム、グリシン及び水酸化アンモニウムの各供給量、塩酸補給開始ｐＨ値、水酸化アンモニウム補給開始ｐＨ値、ｐＨ調整判定時間、待ち時間１ないし５の時間、水酸化クロム供給ポンプ１４、グリシン供給ポンプ１５及び水酸化アンモニウム供給ポンプ１６の各送液ポンプの単位時間あたりの送液量である。ここで入力する通電量は、この通電量になるごとに各薬剤を供給するという値であり、水酸化クロム、グリシン及び水酸化アンモニウムの供給量は単位通電量当たり供給すべき各薬剤の供給量である。
【００２０】
待ち時間１は攪拌機１０、１３運転開始後水酸化クロム供給ポンプ１４運転開始までの時間、待ち時間２は水酸化クロム供給ポンプ１４停止後グリシン供給ポンプ１５運転開始までの時間、待ち時間３はグリシン供給ポンプ１５停止後水酸化アンモニウム供給ポンプ１６運転開始までの時間、待ち時間４は水酸化アンモニウム供給ポンプ１６停止後循環ポンプ２１運転開始までの時間であり、待ち時間５は循環ポンプ２１運転開始後水酸化アンモニウム供給ポンプ１６又は塩酸供給ポンプ１７運転開始までの時間である。また、めっき液のｐＨは、塩化クロム濃度が３００ｇ／ｌであれば０．１〜０．３、１５０ｇ／ｌであれば０．４〜０．８とすることが好ましいので、塩酸補給開始ｐＨ値は０．３〜０．８に、水酸化アンモニウム補給開始ｐＨ値は０．１〜０．４にそれぞれ設定することになる。
【００２１】
このように各種パラメータを入力すると、論理制御部３０は入力された水酸化クロム、グリシン及び水酸化アンモニウムの単位通電量当たりの供給量と、入力された水酸化クロム供給ポンプ１４、グリシン供給ポンプ１５及び水酸化アンモニウム供給ポンプ１６の単位時間当たりの送液量とから、入力された単位通電量当たりの供給量に相当する量の水酸化クロム、グリシン及び水酸化アンモニウムをそれぞれ送液するのに必要な、水酸化クロム供給ポンプ１４、グリシン供給ポンプ１５及び水酸化アンモニウム供給ポンプ１６の各運転時間を算出して記憶する。
【００２２】
ここでめっきを開始し、３価クロムめっき液管理装置を運転すると、論理制御部３０から循環ポンプ駆動部４０と攪拌機駆動部４１に信号が送られ、循環ポンプ２１と攪拌機１０が運転される。これにより調整槽１内のめっき液はフィルタ１９を通して循環ポンプ２１によりめっき槽２０に送られ、めっき槽２０内のめっき液はオーバーフロー２２から調整槽１に流れて調整槽１とめっき槽２０の間でめっき液が循環し、めっき槽２０内のめっき液と調整槽１内のめっき液とは均一な状態が保たれる。また、調整槽１内のめっき液は攪拌機１０により攪拌される。
【００２３】
めっき槽２０内の図示しない被めっき物に流れる電流は電流積算部３２で積算され、通電量が論理制御部３０に送られる。通電量が入力された通電量に達すると、論理制御部３０から循環ポンプ駆動部４０に信号が送られなくなり、攪拌機駆動部４１、４２に信号が送られるので、循環ポンプ２１は停止し、攪拌機１０、１３が運転される。これにより調整槽１とめっき槽２０の間のめっき液の循環が止まり、水酸化クロム貯蔵タンク２内の水酸化クロムが攪拌される。
【００２４】
攪拌機１３の運転開始後待ち時間１が経過すると、論理制御部３０から水酸化クロム供給ポンプ駆動部３５に信号が送られ、水酸化クロム供給ポンプ１４が一定時間運転される。これにより水酸化クロム貯蔵タンク２内の水酸化クロムが調整槽１に送られる。待ち時間１は水酸化クロム貯蔵タンク２内の水酸化クロムが均一になる時間である。この水酸化クロム供給ポンプ１４が運転される時間は論理制御部３０で算出、記憶された水酸化クロムの単位通電量当たりの供給量を送るのに必要な水酸化クロム供給ポンプ１４の運転時間と、通電量とから算出されるので、通電量に見合う量の水酸化クロムが送られることになる。調整槽１内のめっき液は強酸性であり、攪拌機１０により攪拌されているので、水酸化クロム供給ポンプ１４により送られた水酸化クロムはめっき液に溶解する。
【００２５】
水酸化クロム供給ポンプ１４の運転終了後待ち時間２が経過すると、論理制御部３０からグリシン供給ポンプ駆動部３６に信号が送られ、グリシン供給ポンプ１５が一定時間運転される。これによりグリシン貯蔵タンク３内のグリシンが調整槽１に送られる。待ち時間２は調整槽１に送られた水酸化クロムがめっき液に溶解する時間である。グリシン供給ポンプ１５が運転される時間は論理制御部３０で算出、記憶されたグリシンの単位通電量当たりの供給量を送るのに必要なグリシン供給ポンプ１５の運転時間と、通電量とから算出されるので、通電量に見合う量のグリシンが送られることになる。調整槽１内のめっき液は攪拌機１０により攪拌されており、グリシン供給ポンプ１５により送られたグリシンはめっき液に混合される。
【００２６】
グリシン供給ポンプ１５の運転終了後待ち時間３が経過すると、論理制御部３０から水酸化アンモニウム供給ポンプ駆動部３７に信号が送られ、水酸化アンモニウム供給ポンプ１６が一定時間運転される。これにより水酸化アンモニウム貯蔵タンク４内の水酸化アンモニウムが調整槽１に送られる。待ち時間３は調整槽１に送られたグリシンがめっき液に混合される時間である。水酸化アンモニウム供給ポンプ１６が運転される時間は論理制御部３０で算出、記憶された水酸化アンモニウムの単位通電量当たりの供給量を送るのに必要な水酸化アンモニウム供給ポンプ１６の運転時間と、通電量とから算出されるので、通電量に見合う量の水酸化アンモニウムが送られることになる。調整槽１内のめっき液は攪拌機１０により攪拌されており、水酸化アンモニウム供給ポンプ１６により送られた水酸化アンモニウムはめっき液に混合される。
【００２７】
水酸化アンモニウム供給ポンプ１６の運転終了後待ち時間４が経過すると、論理制御部３０からｐＨ測定ポンプ駆動部３４と循環ポンプ駆動部４０に信号が送られ、ｐＨ測定ポンプ９と循環ポンプ２１が運転される。これにより、水酸化クロム、グリシン及び水酸化アンモニウムの供給によって通電による成分の減少分が補給された調整槽１内のめっき液は循環ポンプ２１によりめっき槽２０に送られ、成分が減少しためっき槽２０内のめっき液はオーバーフロー２２から調整槽１に流れるので、めっき槽２０内のめっき液と調整槽１内のめっき液が均一になり、めっき槽２０内のめっき液に減少分の成分が補給されることになる。待ち時間４は水酸化アンモニウムがめっき液に混合される時間である。
【００２８】
ｐＨ測定ポンプ９と循環ポンプ２１の運転開始後入力された待ち時間５が経過すると、論理制御部３０でｐＨ計測部３３から送られるｐＨ値と塩酸補給開始ｐＨ値及び水酸化アンモニウム補給開始ｐＨ値とが比較され、ｐＨ値が塩酸補給開始ｐＨ値より高ければ塩酸供給ポンプ駆動部３８に、ｐＨ値が水酸化アンモニウム補給開始ｐＨ値より低ければ水酸化アンモニウム供給ポンプ駆動部３７にそれぞれ論理制御部３０から信号が送られる。これにより塩酸供給ポンプ１７又は水酸化アンモニウム供給ポンプ１６が運転される。待ち時間５はめっき槽２０内のめっき液と調整槽１内のめっき液が均一になり、ｐＨ測定電極７及びｐＨ計測部３３が安定するまでの時間である。
【００２９】
論理制御部３０では引き続きｐＨ値と塩酸補給開始ｐＨ値及び水酸化アンモニウム補給開始ｐＨ値との比較が継続され、塩酸供給ポンプ１７が運転された後ｐＨ値が塩酸補給開始ｐＨ値より低くなったとき、あるいは水酸化アンモニウム供給ポンプ１６が運転された後ｐＨ値が水酸化アンモニウム補給開始ｐＨ値より高くなったときからｐＨ調整判定時間を超える時間その状態が継続すれば、論理制御部３０から塩酸供給ポンプ駆動部３８あるいは水酸化アンモニウム供給ポンプ駆動部３７に信号が送れられなくなり、塩酸供給ポンプ１７あるいは水酸化アンモニウム供給ポンプ１６が停止して塩酸あるいは水酸化アンモニウムの供給が停止する。
【００３０】
待ち時間５が経過した時点でｐＨ値が塩酸補給開始ｐＨ値より低く、水酸化アンモニウム補給開始ｐＨ値より高ければｐＨ値は所定の範囲にあることになり、塩酸供給ポンプ駆動部３８、水酸化アンモニウム供給ポンプ駆動部３７のいずれにも信号は送られず、塩酸供給ポンプ１７、水酸化アンモニウム供給ポンプ１６はいずれも運転されることはない。これによりめっき液のｐＨ値が所定の範囲であればそのまま、所定の範囲を外れていれば塩酸あるいは水酸化アンモニウムが供給され、ｐＨ値は塩化クロムの濃度に応じた所定の範囲に調整される。さらに、めっき液の量が減少した場合には、論理制御部３０から純水供給ポンプ駆動部３９に信号が送られ、純水供給ポンプ１８が運転されて純水が調整槽１に送られ、めっき液の量が維持される。
【００３１】
このようにして、被めっき物に流れた電流の通電量が入力した通電量に達するごとに消費された成分を補うように水酸化クロム、グリシン及び水酸化アンモニウムが供給され、ｐＨを所定の範囲に保つように塩酸あるいは水酸化アンモニウムが供給され、めっき液の量を維持するように純水が供給されるのであるが、任意の時点で操作部３１から補給指令を入力した場合には、上記と同様の順序で各供給動作を行うように論理制御部３０が水酸化クロム供給ポンプ駆動部３５その他に信号を送り、水酸化クロム供給ポンプ１４その他が順次運転される。
【００３２】
このときの水酸化クロム供給ポンプ１４が運転される時間は論理制御部３０で算出、記憶された水酸化クロムの単位通電量当たりの供給量を送るのに必要な水酸化クロム供給ポンプ１４の運転時間と、前回補給されてから補給指令を入力した時点までの通電量とから算出されるので、前回補給されてから補給指令を入力した時点までの間に消費された成分を補給するのに必要な量の水酸化クロムが供給されることになる。グリシン供給ポンプ１５及び水酸化アンモニウム供給ポンプ１６が運転される時間も同様に算出されるので、その間に消費された成分を補給するのに必要な量のグリシン及び水酸化アンモニウムが供給されることになる。
【００３３】
以上の説明によっても明らかなように、本発明の３価クロムめっき液管理装置では、通電量が設定した一定値に達したとき又は操作信号が入力されたときのいずれのときにも、それまでの通電により減少した成分を補給するのに必要な量の薬剤を供給するので、新規に被めっき物のめっきを開始するときに操作信号を入力すれば、成分の不足がないめっき液でめっきすることができる利点がある。補給する水酸化クロム、グリシン及び水酸化アンモニウムは順を追ってめっき槽とは別に設けた調整槽でめっき液に溶解、混合するので、溶解しにくい水酸化クロムも完全に溶解する利点がある。また、全ての薬剤を供給後めっき槽に送るので、被めっき物は成分の一部だけが補給された不完全なめっき液でめっきされることはない。
【００３４】
なお、めっき液は硼酸あるいは硼酸と塩化アルミニウムを含むものであるが、硼酸と塩化アルミニウムが電析あるいは分解により減少することはなく、汲み出しによってのみ減少するものである。したがって、こうした汲み出しにより減少する成分に関しては、あらかじめ汲み出し量を予測して一定時間ごとに薬剤を供給する等の方法によりその量を維持することができる。
【図面の簡単な説明】
【００３５】
【図１】本発明の３価クロムめっき液管理装置の構成を示す図である。
【図２】制御装置の構成を示すブロック図である。
【符号の説明】
【００３６】
１  調整槽
２  水酸化クロム貯蔵タンク
３  グリシン貯蔵タンク
４  水酸化アンモニウム貯蔵タンク
５  塩酸貯蔵タンク
６  純水貯蔵タンク
７  ｐＨ測定電極
８  ｐＨ測定槽
９  ｐＨ測定ポンプ
１０  攪拌機
１１  温度センサー
１２  ヒーター
１３  攪拌機
１４  水酸化クロム供給ポンプ
１５  グリシン供給ポンプ
１６  水酸化アンモニウム供給ポンプ
１７  塩酸供給ポンプ
１８  純水供給ポンプ
１９  フィルタ
２０  めっき槽
２１  循環ポンプ
２２  オーバーフロー
２３  温度センサー
２４  ヒーター
２５、２６  バルブ
２７  圧力計
２８  液面センサー
３０  論理制御部
３１  操作部
３２  電流積算部
３３  ｐＨ計測部
３４  ｐＨ測定ポンプ駆動部
３５  水酸化クロム供給ポンプ駆動部
３６  グリシン供給ポンプ駆動部
３７  水酸化アンモニウム供給ポンプ駆動部
３８  塩酸供給ポンプ駆動部
３９  純水供給ポンプ駆動部
４０  循環ポンプ駆動部
４１、４２  攪拌機駆動部
【図１】
0005207454.tif 000002
【図２】
0005207454.tif 000003